(57)【要約】【課題】フィルターの清掃の際、手動でフィルターを牽引することにより容易に清掃が行え、また本体に自動的に収納することができる空気調和機を提供する。【解決手段】本体内に、第一ブラシ１４と第二ブラシ１５と第三ブラシ１６とを備えたダストボックス１１を設けるとともに、前記本体内の後部に、前面上部にスリット孔１８ａを穿設したボックス１８と、同ボックス１８内に設けられた軸１９ａに軸支される弦巻バネ１９と、同弦巻バネ１９とともに同軸上に固定された歯車２０に歯合する歯車２２を備え、減速を行うダンパ装置２１とからなり、フィルター１０を自動的に収納する巻戻し装置１２を設ける。【選択図】  図５
2004245544.tif 000002
【特許請求の範囲】
【請求項１】
吸込口と吹出口とを形成した本体内に、熱交換器と送風ファンとを収納し、前記吸込口の裏面に、吸込まれた空気に含有される塵埃を除去するフィルターを装着してなる空気調和機において、
前記本体の前面に、前記フィルターの出し入れ口を設け、前記本体内に前記出し入れ口に臨んで、前記フィルターが通過する通過口を前後に備えるとともに、同フィルターが通過する際、その表面に蓄積した塵埃を除去する複数のブラシを備えたダストボックスを設ける一方、前記本体内の後部に、前記フィルターの後端縁と連係された弦巻バネを備え、前記フィルターが前記出し入れ口から前面側に引き出された際、前記弦巻バネにより前記本体内に収納する巻戻し装置を設けてなることを特徴とする空気調和機。
【請求項２】
前記巻戻し装置が、前面に前記弦巻バネが通過するスリットを備え前記弦巻バネを内部に支持したボックスと、前記弦巻バネと同軸上に固定された歯車と歯合する歯車を備え、巻戻しの際、減速を行うダンパ装置とからなることを特徴とする請求項１に記載の空気調和機。
【請求項３】
前記フィルターと、前記弦巻バネとの間に、前記ダストボックスの通過口に掛止されるストッパを設けてなることを特徴とする請求項１に記載の空気調和機。
【請求項４】
前記ダストボックスが、上下に分割された上部ボックスと下部ボックスとからなり、前記上部ボックスに前記フィルターの表側に蓄積した塵埃を除去する第一ブラシと第二ブラシとを前後して設ける一方、前記下部ボックスに前記フィルターの裏側に蓄積した塵埃を除去する第三ブラシを設けてなることを特徴とする請求項１に記載の空気調和機。
【発明の詳細な説明】
【０００１】
【発明の属する技術分野】
本発明は、空気調和機に関わり、より詳細には、フィルターの表面に蓄積された塵埃をダストボックスに集塵する構成に関する。
【０００２】
【従来の技術】
従来の空気調和機は、例えば図７で示すように、本体４０の上面に吸込口４１を、下面前部に風向偏向板を備えた吹出口４２を設け、前記吸込口４１と前記吹出口４２とを結ぶ空気通路に前部熱交換器と後部熱交換器とからなり逆Ｖ字状に形成された熱交換器４３と、同熱交換器４３で熱交換された空気を室内に送出する送風ファン４４とを設けている。
【０００３】
前記吸込口４１の裏面には、不織布からなり吸込まれた空気に含有される塵埃を吸着するフィルター４５が着脱自在に装着されており、前記本体４０の前部には前記フィルター４５を挟着するダストボックス４６が設けられている。同ダストボックス４５内にはブラシ４７と、回転子４９と同回転子４９を駆動する駆動モータ４８とが設けられており、前記ブラシ４７と前記回転子４９とで前記フィルター４５を挟着するようになっている。（特許文献１参照）
【０００４】
前記フィルター４５の表面に塵埃が蓄積した際は、前記駆動モータ４８により前記回転子４９を回動させ、前記フィルター４５を図７で示すように前記本体４０の前方に牽引する。これにより蓄積した塵埃は前記ブラシ４７により捕獲、補集されるとともに、前記ダストボックス４６内に収納されるようになっている。この後、前記駆動モータ４８を逆転させ前記フィルター４５を前記吸込口４１の裏面に再び格納する。
【０００５】
しかしながら、上記したダストボックス４６の構成においては前記駆動モータ４８を制御する制御回路が必要とされる上、構造も比較的複雑になり、また電力も要することから、省エネ性に優れたフィルターの清掃機構が求められていた。
【０００６】
【特許文献１】
特開２００２−１８７７０８号
【０００７】
【発明が解決しようとする課題】
本発明は上記問題点に鑑み、手動で操作できるとともに操作が容易に行えるダストボックスを備えた空気調和機を提供することを目的とする。
【０００８】
【課題を解決するための手段】
本発明は上記課題を解決するため、吸込口と吹出口とを形成した本体内に、熱交換器と送風ファンとを収納し、前記吸込口の裏面に、吸込まれた空気に含有される塵埃を除去するフィルターを装着してなる空気調和機において、
前記本体の前面に、前記フィルターの出し入れ口を設け、前記本体内に前記出し入れ口に臨んで、前記フィルターが通過する通過口を前後に備えるとともに、同フィルターが通過する際、その表面に蓄積した塵埃を除去する複数のブラシを備えたダストボックスを設ける一方、前記本体内の後部に、前記フィルターの後端縁と連係された弦巻バネを備え、前記フィルターが前記出し入れ口から前面側に引き出された際、前記弦巻バネにより前記本体内に収納する巻戻し装置を設けてなる構成となっている。
【０００９】
また、前記巻戻し装置が、前面に前記弦巻バネが通過するスリットを備え前記弦巻バネを内部に支持したボックスと、前記弦巻バネと同軸上に固定された歯車と歯合する歯車を備え、巻戻しの際、減速を行うダンパ装置とからなる構成となっている。
【００１０】
また、前記フィルターと、前記弦巻バネとの間に、前記ダストボックスの通過口に掛止されるストッパを設けてなる構成となっている。
【００１１】
また、前記ダストボックスが、上下に分割された上部ボックスと下部ボックスとからなり、前記上部ボックスに前記フィルターの表側に蓄積した塵埃を除去する第一ブラシと第二ブラシとを前後して設ける一方、前記下部ボックスに前記フィルターの裏側に蓄積した塵埃を除去する第三ブラシを設けてなる構成となっている。
【００１２】
【発明の実施の形態】
以下、本発明の実施の形態を、添付図面に基づいた実施例として詳細に説明する。
図１は本発明による空気調和機の斜視図であり、図２はその断面図である。図３はダストボックスの斜視図であり、図４はその分解斜視図である。図５は巻戻し装置の断面図であり、図６はフィルターと弦巻バネとの間に設けられたストッパを示す斜視図である。
本発明による空気調和機は、図１及び図２で示すように、壁面に据付けられるベース１と、同ベース１の上面前部に装着され前端から後端近傍に至り吸込口４を形成した上部パネル３と、下面前部に装着され複数の風向偏向板５ａを備える吹出口５を形成した下部パネル２とで本体を構成している。
【００１３】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１４】
前記吸込口４の裏面には、塵埃を補集、吸着するフィルター１０が装着され、本体の内部前方には前記フィルター１０が通過する通過口を前後に備えたダストボックス１１が設けられ、また前記上部パネル３の前端と前記下部パネル３の前端との間には、前記フィルター１０が出し入れ自在となる出し入れ口９が下方に向けて形成されている。また、前記ベース１の上部には、前記フィルター１０と接続され、これを収納する巻戻し装置１２が設けられている。
【００１５】
前記ダストボックス１１は、図３で示すように、上下に分割された上部ボックス１１ａと下部ボックス１１ｂとからなり、これらの間には前記フィルター１０が通過する通過口１１ｃが前後に形成されている。図４は同ダストボックス１１の分解斜視図であり、前記上部ボックス１１ａの内壁には第一ブラシ１４と第二ブラシ１５とが相前後して設けられ、前記第一ブラシ１４は前記フィルター１０が引き出される際、引き出される方向に対向するように傾斜して植設され、前記第二ブラシ１５は引き出される方向に向かうように傾斜して植設されている。
【００１６】
前記下部ボックス１１ｂの両側には前記上部ボックス１１ａに設けられた第二ブラシ１５と対向するように第三ブラシ１６が植設されている。又、同下部ボックス１１ｂの前記第三ブラシ１６側には、布状部材を巻回するとともに両側をスプリングにより付勢され、各ブラシにより補集、捕獲された塵埃が本体内に逆流しないよう防止する逆流防止部材１７が設けられている。
【００１７】
前記巻戻し装置１２は、図５で示すように、前面上部にスリット孔１８ａを穿設したボックス１８と、同ボックス１８内に設けられた軸１９ａに軸支される弦巻バネ１９と、同弦巻バネ１９とともに同軸上に固定された歯車２０に歯合する歯車２２を備え、減速を行うダンパ装置２１とからなっている。前記弦巻バネ１９の先端部は前記スリット孔１８ａから前方に延出され、前記フィルター１０の後端部とストッパ１３を介して接続されている。前記ダンパ装置２１は内部に粘性を有するオイルを備え、前記弦巻バネ１９が巻戻された際、急激に巻戻しを行わないよう前記歯車２１を介して減速を行うようになっている。
【００１８】
前記ストッパ１３は、図６で示すように、前記ダストボックス１１の前後に穿設された横長状の通過口１１ｃより上下寸法が大きい方形状に形成され、前記フィルター１０が本体の前面に引き出された際、前記ダストボックス１１の後部側に掛止して、前記フィルター１０が限度を越えて引出されないよう防止するようになっている。
【００１９】
次に、動作について説明する。長時間の運転により前記フィルター１０の表面及び裏面に塵埃が蓄積し清掃が必要な際は、図１に示すように、前記フィルター１０の前端に備えられた手掛け部１０ａに手を掛けて前記出し入れ口９から前面側に前記フィルター１０をこれに引き抜くようにする。これにより、前記ダストボックス１１に備えられた前記第一ブラシ１４がフィルター表面に蓄積した塵埃をかき上げ前記上部ボックス１１ａ内に集塵するようになっている。また前記第二ブラシ１５は除去しきれなかった塵埃を捕獲、補集し同様に前記上部ボックス１１ａ内に集塵するようになっている。前記第三ブラシ２１は前記フィルター１０の裏面に蓄積された塵埃をかき落とし前記下部ボックス１１ｂ内に集塵するようになっている。
【００２０】
前記フィルター１０が前面に移動し、前記ストッパ１３が前記ダストボックス１１に掛止されると前記フィルター１０の清掃が完了する。前記手掛け部１０ａから手を離すと、前記巻戻し装置１２に設けられた前記弦巻バネ１９が前記ダンパ装置２１により減速されながら巻戻され、これにより前記フィルター１０は自動的に前記吸込口４の裏面に再び収納されるようになっている。
【００２１】
【発明の効果】
以上説明したように、本発明によると、本体内に塵埃を集塵するダストボックスとフィルターを本体内に自動的に収納する巻戻し装置を設け、長期間の運転により、前記フィルターの表面及び裏面に塵埃が蓄積した際、本体前面の出し入れ口からフィルターを手動により手前側に牽引することにより、フィルターの清掃が行え、また前記巻戻し装置によりフィルターを自動的に収納できる使い勝手性に優れ且つ省エネ性を備えた空気調和機とすることができる。
【図面の簡単な説明】
【図１】本発明による空気調和機においてフィルターが引き出された状態を示す斜視図である。
【図２】本発明による空気調和機を示す断面図である。
【図３】ダストボックスの外観斜視図である。
【図４】ダストボックスの分解斜視図である。
【図５】巻戻し装置を示す断面図である。
【図６】ストッパがダストボックスに掛止された状態を示す斜視図である。
【図７】従来例による空気調和機を示す断面図である。
【符号の説明】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  出し入れ口
１０  フィルター
１０ａ  手掛け部
１１  ダストボックス
１１ａ  上部ボックス
１１ｂ  下部ボックス
１１ｃ  通過口
１２  巻戻し装置
１３  ストッパ
１４  第一ブラシ
１５  第二ブラシ
１６  第三ブラシ
１７  逆流防止部材
１８  ボックス
１８ａ  スリット孔
１９  弦巻バネ
１９ａ  軸
２０  歯車
２１  ダンパ装置
２２  歯車
【図１】
2004245544.tif 000003
【図２】
2004245544.tif 000004
【図３】
2004245544.tif 000005
【図４】
2004245544.tif 000006
【図５】
2004245544.tif 000007
【図６】
2004245544.tif 000008
【図７】
2004245544.tif 000009